(57)【要約】【課題】給湯用熱交換器と暖房用熱交換器を併設し、同一バーナで加熱する方式の熱交換器を備えた暖房機能付給湯装置において、過圧逃し電磁弁の駆動時間が長くなるのを防止して耐久寿命を向上する。【解決手段】暖房運転時には、暖房用熱交換器２０を加熱するとともに給湯用熱交換器７も加熱されるため、過圧逃し電磁弁２６を「開」にして圧力を暖房回路２４に開放し、かつ給湯と暖房を同時に使用する場合には過圧逃し電磁弁２６を「閉」にする制御手段２７を設けることで、過圧逃し電磁弁２６の駆動時間を短縮し、耐久寿命が向上させた。【選択図】      図１
2004150689.tif 000002
【特許請求の範囲】
【請求項１】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱している時過圧逃し電磁弁を「開」に制御し、給湯と暖房を同時に使用している場合には過圧逃し電磁弁を「閉」にする制御手段を設けた暖房機能付給湯装置。
【請求項２】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱している時、所定時間毎に過圧逃し電磁弁を「開」「閉」する制御手段を設けた暖房機能付給湯装置。
【請求項３】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱している時でかつ暖房往き通路に設けた暖房往き温度センサが所定温度以上の温度を検出しているときに過圧逃し電磁弁を「開」に制御する制御手段を設けた暖房機能付給湯装置。
【請求項４】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱している時でかつ給湯用熱交換器の下流に設けた熱交温度センサが所定温度以上の温度を検出しているときに過圧逃し電磁弁を「開」に制御する制御手段を設けた暖房機能付給湯装置。
【請求項５】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱しているときに過圧逃し電磁弁を「開」にし、暖房用熱交換器の加熱終了から所定時間経過した後に過圧逃し電磁弁を「閉」にする制御手段を設けた暖房機能付給湯装置。
【請求項６】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱しているときに過圧逃し電磁弁を「開」にし、暖房用熱交換器の加熱終了後給湯用熱交換器の下流に設けた熱交温度センサが所定温度以下を検出すると過圧逃し電磁弁を「閉」にする制御手段を設けた暖房機能付給湯装置。
【請求項７】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱しているときに過圧逃し電磁弁を「開」にし、暖房用熱交換器の加熱終了後暖房往き通路に設けた暖房往き温度センサが所定温度以下を検出すると過圧逃し電磁弁を「閉」にする制御手段を設けた暖房機能付給湯装置。
【請求項８】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱しているとき及び給湯使用後所定時間過圧逃し電磁弁を「開」にする制御手段を設けた暖房機能付給湯装置。
【請求項９】
併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱しているとき及び給湯使用後に給湯用熱交換器の下流に設けた熱交温度センサが所定温度以上の温度を検出しているときに過圧逃し電磁弁を「開」にする制御手段を設けた暖房機能付給湯装置。
【発明の詳細な説明】
【０００１】
【発明の属する技術分野】
本発明は、給湯と暖房ができる暖房機能付給湯装置に関するものである。
【０００２】
【従来の技術】
従来から、給湯用熱交換器と暖房用熱交換器を併設し、同一バーナで加熱する方式の熱交換器を備えた暖房機能付給湯装置は知られている。
【０００３】
この種の暖房機能付給湯装置を、図１０を参照して説明すると、給湯運転時には、給湯栓１を開くと水量センサ２が通水を検知した後、燃焼用ファン３が回転し、ガス元電磁弁４、ガス比例弁５が開き、バーナ６に着火し、給湯用熱交換器７で加熱される。給湯用熱交換器７で加熱された湯は、給湯用熱交換器７をバイパスする通路に設けたバイパス制御弁８により入水側の水と混合され、混合された湯は給湯接続口１１を経て給湯栓１より給湯される。ここで、バイパス制御弁８の開度が遠隔操作用リモコン９で設定された給湯設定温度になるよう出湯サーミスタ１０の信号により調整され、所望温度の湯が給湯される。２２は、以上の構成の給湯回路、２３は過圧逃し弁である。
【０００４】
次に、暖房運転時には、暖房端末機１３の暖房水１４が暖房端末戻り通路１５から、器具外部につながるオーバーフロー通路１６を接続されたタンク１７と暖房戻り通路１８を経て循環ポンプ１２に吸引され、循環ポンプ１２にて流水検知部１９、暖房用熱交換器２０を経て暖房端末機１３に送給されて循環される。そして、流水検知部１９にて暖房水１４の循環を検知されると、燃焼用ファン３が回転し、ガス元電磁弁４、ガス比例弁５が開き、バーナ６に着火し、暖房用熱交換器２０で加熱され、暖房往き通路２１を経て暖房端末機１３へ循環される。２４は以上の構成の暖房回路である。
【０００５】
ここで、給湯用熱交換器７と暖房用熱交換器２０を併設し、同一のバーナ６で加熱する方式の熱交換器を用いているため、暖房運転時には暖房用熱交換器２０を加熱するとともに給湯用熱交換器７も加熱され、給湯回路２２内の圧力が上昇し過圧逃し弁２３から機器外部へ水漏れが発生する。そのため、給湯回路２２と暖房回路２４の間を、過圧逃し電磁弁２６を配設した給湯・暖房接続路２５にて接続し、暖房運転時に過圧逃し電磁弁２６を「開」にして圧力を暖房回路２４に開放するように構成されている。
【０００６】
【発明が解決しようとする課題】
しかしながら、従来の１つの熱交換器での暖房機能付給湯装置では、暖房運転時には常時過圧逃し電磁弁２６を「開」にして圧力を暖房回路２４に開放する構成となっているが、給湯と暖房を同時に使用している場合にも過圧逃し電磁弁２６が「開」になっているため、過圧逃し電磁弁２６に電源を供給する駆動時間が長くなり、その耐久寿命が短くなるという課題を有していた。
【０００７】
また、給湯使用後の後沸きや暖房使用後でも給湯回路２２内の圧力上昇のため機器外部へ過圧逃し弁２３からの水漏れが発生するという課題を有していた。
【０００８】
本発明は、上記従来の課題に鑑み、過圧逃し電磁弁を「開」にする駆動時間を短縮して耐久寿命を向上でき、また給湯使用後や暖房使用後の過圧逃し弁からの水漏れを防止できる暖房機能付給湯装置を提供することを目的とする。
【０００９】
【課題を解決するための手段】
本願発明の請求項１記載の発明は、併設した給湯用熱交換器と暖房用熱交換器を同一バーナで加熱する方式の熱交換器と、給湯用熱交換器の下流に設けられ圧力が所定の圧力以上になると開放する過圧逃し弁を有する給湯回路と、暖房用熱交換器の下流に設けられ暖房端末と熱交換器をつなぐ暖房往き通路と、暖房端末からの循環水が流れる暖房端末戻り通路と、暖房端末戻り通路の下流に設けられたタンクと、タンクから器具外部へとつながるオーバーフロー通路と、タンクと暖房用熱交換器をつなぐ暖房戻り通路と、暖房戻り通路に設けられ暖房用熱交換器へ水を循環させる循環ポンプと、循環ポンプによる水の循環を検知する流水検知部とを有する暖房回路と、給湯回路と暖房回路をつなぐ給湯・暖房接続路に設けられ給湯回路の圧力を暖房回路に開放する過圧逃し電磁弁とを備えた暖房機能付給湯装置において、流水検知部が水の循環を検知しバーナで暖房用熱交換器を加熱している時過圧逃し電磁弁を「開」に制御し、給湯と暖房を同時に使用している場合には過圧逃し電磁弁を「閉」にする制御手段を設けたものであり、給湯と暖房を同時に使用している状態では過圧逃し電磁弁を閉じるようにしているため、電源を供給する駆動時間を短縮できて耐久寿命を向上できる。
【００１０】
また、請求項２記載の発明は、上記暖房機能付給湯装置において、流水検知部が水の循環を検知しバーナで暖房用熱交換器を加熱している時、所定時間毎に過圧逃し電磁弁を「開」「閉」する制御手段を設けたものであり、暖房運転時でも過圧逃し電磁弁を開いたままにしないため、電源を供給する駆動時間を短縮できて耐久寿命を向上できる。
【００１１】
また、請求項３記載の発明は、上記暖房機能付給湯装置において、流水検知部が水の循環を検知しバーナで暖房用熱交換器を加熱している時でかつ暖房往き通路に設けた暖房往き温度センサが所定温度以上の温度を検出しているときに過圧逃し電磁弁を「開」に制御する制御手段を設けたものであり、暖房運転時でも暖房往き温度センサが所定未満の温度を検出している間は過圧逃し電磁弁を閉じているため、電源を供給する駆動時間を短縮できて耐久寿命を向上できる。
【００１２】
また、請求項４記載の発明は、上記暖房機能付給湯装置において、流水検知部が水の循環を検知しバーナで暖房用熱交換器を加熱している時でかつ給湯用熱交換器の下流に設けた熱交温度センサが所定温度以上の温度を検出しているときに過圧逃し電磁弁を「開」に制御する制御手段を設けたものであり、暖房運転時でも給湯用熱交換器下流の熱交温度センサが所定未満の温度を検出している間は過圧逃し電磁弁を閉じているため、電源を供給する駆動時間を短縮できて耐久寿命を向上できる。
【００１３】
また、請求項５記載の発明は、上記暖房機能付給湯装置において、流水検知部が水の循環を検知しバーナで暖房用熱交換器を加熱しているときに過圧逃し電磁弁を「開」にし、暖房用熱交換器の加熱終了から所定時間経過した後に過圧逃し電磁弁を「閉」にする制御手段を設けたものであり、暖房使用後の後沸きによって給湯回路内の圧力が上昇して過圧逃し弁から機器外部に水漏れが発生するのを防止できる。
【００１４】
また、請求項６記載の発明は、上記暖房機能付給湯装置において、流水検知部が水の循環を検知しバーナで暖房用熱交換器を加熱しているときに過圧逃し電磁弁を「開」にし、暖房用熱交換器の加熱終了後給湯用熱交換器の下流に設けた熱交温度センサが所定温度以下を検出すると過圧逃し電磁弁を「閉」にする制御手段を設けたものであり、暖房使用後の後沸きによって給湯回路内の圧力が上昇して過圧逃し弁から機器外部に水漏れが発生するのを防止できる。
【００１５】
また、請求項７記載の発明は、上記暖房機能付給湯装置において、流水検知部が水の循環を検知しバーナで暖房用熱交換器を加熱しているときに過圧逃し電磁弁を「開」にし、暖房用熱交換器の加熱終了後暖房往き通路に設けた暖房往き温度センサが所定温度以下を検出すると過圧逃し電磁弁を「閉」にする制御手段を設けたものであり、暖房使用後の後沸きによって給湯回路内の圧力が上昇して過圧逃し弁から機器外部に水漏れが発生するのを防止できる。
【００１６】
また、請求項８記載の発明は、上記暖房機能付給湯装置において、流水検知部が水の循環を検知しバーナで暖房用熱交換器を加熱しているとき及び給湯使用後所定時間過圧逃し電磁弁を「開」にする制御手段を設けたものであり、給湯使用後の後沸きによって給湯回路内の圧力が上昇して過圧逃し弁から機器外部に水漏れが発生するのを防止できる。
【００１７】
また、請求項９記載の発明は、上記暖房機能付給湯装置において、流水検知部が水の循環を検知しバーナで暖房用熱交換器を加熱しているとき及び給湯使用後に給湯用熱交換器の下流に設けた熱交温度センサが所定温度以上の温度を検出しているときに過圧逃し電磁弁を「開」にする制御手段を設けたものであり、給湯使用後の後沸きによって給湯回路内の圧力が上昇して過圧逃し弁から機器外部に水漏れが発生するのを防止できる。
【００１８】
【発明の実施の形態】
以下、本発明の各実施形態に図１〜図９を参照して説明する。なお、図１０を参照して説明した従来例と同一の構成要素については、同一の参照符号を付して説明する。
【００１９】
（第１の実施形態）
本発明の第１の実施形態の暖房機能付給湯装置について、図１を参照して説明する。
【００２０】
図１において、給湯運転時には、給湯栓１を開くと水量センサ２が通水を検知した後、燃焼用ファン３が回転し、ガス元電磁弁４、ガス比例弁５が開き、バーナ６に着火し、給湯用熱交換器７で加熱される。給湯用熱交換器７で加熱された湯は、給湯用熱交換器７をバイパスする通路に設けたバイパス制御弁８により入水側の水と混合され、混合された湯が給湯接続口１１を経て給湯栓１より給湯される。ここで、バイパス制御弁８の開度が、遠隔操作用リモコン９で設定した給湯設定温度になるよう出湯サーミスタ１０の信号により調整され、所望温度の湯が給湯される。
【００２１】
次に、暖房運転時には、暖房端末機１３の暖房水１４が暖房端末戻り通路１５から、器具外部につながるオーバーフロー通路１６を接続されたタンク１７と暖房戻り通路１８を経て循環ポンプ１２に吸引され、循環ポンプ１２にて流水検知部１９、暖房用熱交換器２０を経て暖房端末機１３に送給されて循環される。そして、流水検知部１９にて暖房水１４の循環を検知されると、燃焼用ファン３が回転し、ガス元電磁弁４、ガス比例弁５が開き、バーナ６に着火し、暖房用熱交換器２０で加熱され、暖房往き通路２１を経て暖房端末機１３へ循環される。
【００２２】
また、暖房運転時には、暖房用熱交換器２０を加熱するとともに給湯用熱交換器７も加熱され給湯回路２２内の圧力が上昇し機器外部へ過圧逃し弁２３から水漏れが発生するため、制御手段２７にて給湯回路２２と暖房回路２４をつなぐ給湯・暖房接続路２５に設けられた過圧逃し電磁弁２６を「開」にし、圧力を暖房回路２４に開放している。
【００２３】
さらに、制御手段２７は、給湯と暖房を同時に使用している場合には、給湯回路２２内の圧力が上昇しないため、過圧逃し電磁弁２６を「閉」にするようにしている。これにより、過圧逃し電磁弁２６に電源を供給する駆動時間が短縮され耐久寿命が向上するように制御することが可能となる。
【００２４】
（第２の実施形態）
本発明の第２の実施形態の暖房機能付給湯装置について、図２を参照して説明する。なお、以下の実施形態の説明においては、先行する実施形態と同一の構成及び作用の部分については、その説明を援用し、主として相違点についてのみ説明する。
【００２５】
図２において、暖房運転時に、暖房用熱交換器２０を加熱する所定時間毎に過圧逃し電磁弁２６を「開」「閉」制御する制御手段２８を設けている。これにより、  給湯回路２２の圧力を暖房回路２４に開放する過圧逃し電磁弁２６に電源を供給する駆動時間が短縮され、耐久寿命が向上するように制御することが可能となる。
【００２６】
（第３の実施形態）
本発明の第３の実施形態の暖房機能付給湯装置について、図３を参照して説明する。
【００２７】
図３において、暖房運転時に、暖房往き通路２１に設けられ、暖房用熱交換器２０で加熱された後の暖房水１４の温度を検出する暖房往き温度センサ２９による検出温度が所定温度以上のときに過圧逃し電磁弁２６を「開」に制御する制御手段３０を設けている。これにより、暖房運転時でも暖房往き温度センサ２９の検出温度が所定温度未満である間は過圧逃し電磁弁２６が「閉」のままであるため、過圧逃し電磁弁２６へ電源を供給する駆動時間が短縮され、耐久寿命が向上するように制御することが可能となる。
【００２８】
（第４の実施形態）
本発明の第４の実施形態の暖房機能付給湯装置について、図４を参照して説明する。
【００２９】
図４において、暖房運転時に、給湯用熱交換器７の下流に設けられ、給湯用熱交換器７で加熱された給湯回路２２内の湯の温度を検出する熱交温度センサ３１による検出温度が所定温度以上のときに過圧逃し電磁弁２６を「開」に制御する制御手段３２を設けている。これにより、暖房運転時でも給湯用熱交換器７下流の熱交温度センサ３１の所定温度が所定温度未満である間は過圧逃し電磁弁２６が「閉」のままであるため、過圧逃し電磁弁２６へ電源を供給する駆動時間が短縮され耐久寿命が向上するように制御することが可能となる。
【００３０】
（第５の実施形態）
本発明の第５の実施形態の暖房機能付給湯装置について、図５を参照して説明する。
【００３１】
図５において、暖房運転時に加圧逃し電磁弁２６を「開」にし、暖房使用後は所定の時間経過後に、過圧逃し電磁弁２６を「閉」にする制御手段３３を備えている。これにより、暖房使用後の後沸きにより給湯回路２２内の圧力が上昇し、過圧逃し弁２３から機器外部に水漏れが発生するのを防止できる。
【００３２】
（第６の実施形態）
本発明の第６の実施形態の暖房機能付給湯装置について、図６を参照して説明する。
【００３３】
図６において、暖房運転時に加圧逃し電磁弁２６を「開」にし、暖房使用後に給湯用熱交換器７の下流に設けた熱交温度センサ３１の検出温度が所定温度以下であることを検出すると過圧逃し電磁弁２６を「閉」にする制御手段３４を備えている。これにより、暖房運転に伴って給湯用熱交換器７で加熱されていた給湯回路２２内の湯の温度が所定温度以下になってから過圧逃し電磁弁２６が閉じられるため、暖房使用後の後沸きにより給湯回路２２内の圧力が上昇し、過圧逃し弁２３から機器外部に水漏れが発生するのを防止できる。
【００３４】
（第７の実施形態）
本発明の第７の実施形態の暖房機能付給湯装置について、図７を参照して説明する。
【００３５】
図７において、暖房運転時に加圧逃し電磁弁２６を「開」にし、暖房使用後に暖房往き通路２１に設けた暖房往き温度センサ２９の検出温度が所定温度以下であることを検出すると過圧逃し電磁弁２６を「閉」にする制御手段３５を備えている。これにより、暖房往き通路２１内の湯の温度が所定温度以下になる間に給湯回路２２内の湯の温度が所定温度以下になるため、暖房使用後の後沸きにより給湯回路２２内の圧力が上昇し、過圧逃し弁２３から機器外部に水漏れが発生するのを防止できる。
【００３６】
（第８の実施形態）
本発明の第８の実施形態の暖房機能付給湯装置について、図８を参照して説明する。
【００３７】
図８において、暖房運転時及び給湯使用後の所定時間の間、過圧逃し電磁弁２６を「開」にする制御手段３６を備えている。これにより、給湯使用後の後沸きにより給湯回路２２内の圧力が上昇し、過圧逃し弁２３から機器外部に水漏れが発生するのを防止できる。
【００３８】
（第９の実施形態）
本発明の第９の実施形態の暖房機能付給湯装置について、図９を参照して説明する。
【００３９】
図９において、暖房運転時及び給湯使用後に給湯用熱交換器７の下流に設けた熱交温度センサ３１が、給湯用熱交換器７で加熱されていた給湯回路２２内の湯の温度が所定温度以上であることを検出しているときは、過圧逃し電磁弁２６を「開」にする制御手段３７を備えている。これにより、給湯使用後の後沸きによる給湯回路２２内の圧力が上昇し、過圧逃し弁２３から機器外部に水漏れが発生するのを防止できる。
【００４０】
【発明の効果】
本発明の暖房機能付給湯装置によれば、給湯と暖房を同時に使用している場合には、過圧逃し電磁弁を「閉」にし、また暖房運転時には、暖房用熱交換器を加熱する時間や検出温度により過圧逃し電磁弁を「開」「閉」する制御手段を備えているため、過圧逃し電磁弁へ電源を供給する駆動時間が短縮され耐久寿命が向上する。
【００４１】
また、給湯使用後や暖房使用後には、所定時間や検出温度により過圧逃し電磁弁を所定の時間「開」にする制御手段を備えているため、給湯使用後や暖房使用後の後沸きによる給湯回路内の圧力上昇を防止し、過圧逃し弁から機器外部への水漏れの発生を防止できる。
【図面の簡単な説明】
【図１】本発明の第１の実施形態の暖房機能付給湯装置の構造図である。
【図２】本発明の第２の実施形態の暖房機能付給湯装置の構造図である。
【図３】本発明の第３の実施形態の暖房機能付給湯装置の構造図である。
【図４】本発明の第４の実施形態の暖房機能付給湯装置の構造図である。
【図５】本発明の第５の実施形態の暖房機能付給湯装置の構造図である。
【図６】本発明の第６の実施形態の暖房機能付給湯装置の構造図である。
【図７】本発明の第７の実施形態の暖房機能付給湯装置の構造図である。
【図８】本発明の第８の実施形態の暖房機能付給湯装置の構造図である。
【図９】本発明の第９の実施形態の暖房機能付給湯装置の構造図である。
【図１０】従来例の暖房機能付給湯装置の構造図である。
【符号の説明】
６  バーナ
７  給湯用熱交換器
１２  循環ポンプ
１３  暖房端末機
１５  暖房端末戻り通路
１６  オーバーフロー通路
１７  タンク
１８  暖房戻り通路
１９  流水検知部
２０  暖房用熱交換器
２１  暖房往き通路
２２  給湯回路
２３  過圧逃し弁
２４  暖房回路
２５  給湯・暖房接続路
２６  過圧逃し電磁弁
２７  制御手段
２８  制御手段
２９  暖房往き温度センサ
３０  制御手段
３１  熱交温度センサ
３２  制御手段
３３  制御手段
３４  制御手段
３５  制御手段
３６  制御手段
３７  制御手段
【図１】
2004150689.tif 000003
【図２】
2004150689.tif 000004
【図３】
2004150689.tif 000005
【図４】
2004150689.tif 000006
【図５】
2004150689.tif 000007
【図６】
2004150689.tif 000008
【図７】
2004150689.tif 000009
【図８】
2004150689.tif 000010
【図９】
2004150689.tif 000011
【図１０】
2004150689.tif 000012